【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
ＡＭ信号を処理するための方法において、
過負荷な信号環境において、同じ周波数範囲で同時に受信される同一チャネルＡＭ信号を含むＲＦデータを受信することと、
上記受信されるＲＦデータの他の同一チャネルＡＭ信号から上記同一チャネルＡＭ信号のそれぞれを分離することとを含む方法。
【請求項２】
上記分離することは、上記受信されるＲＦデータに基づいて上記同一チャネルＡＭ信号のそれぞれを推定することを含む請求項１記載の方法。
【請求項３】
上記分離することは、
上記同一チャネルＡＭ信号のそれぞれの初期推定値を供給し、上記同一チャネルＡＭ信号のそれぞれの上記初期推定値及び上記受信されるＲＦデータに少なくとも部分的に基づいて、上記同一チャネルＡＭ信号のそれぞれの改善された第１の推定値を供給し、かつ上記同一チャネルＡＭ信号のそれぞれの上記改善された第１の推定値及び上記受信されるＲＦデータに少なくとも部分的に基づいて、上記同一チャネルＡＭ信号のそれぞれの改善された第２の推定値を供給することと、
ｉ）上記同一チャネルＡＭ信号のそれぞれの初期推定値を供給し、ｉｉ）上記同一チャネルＡＭ信号のそれぞれの先行する最新の推定値及び上記受信されるＲＦデータに少なくとも部分的に基づいて、上記同一チャネルＡＭ信号のそれぞれの改善された少なくとも１つの追加的推定値を供給すること、の少なくとも一方をさらに含む請求項２記載の方法。
【請求項４】
上記ＲＦデータは単一のセンサによって受信され、
上記ステップｉ）は、上記同一チャネルＡＭ信号の（Ｓ）の初期推定値と、上記同一チャネルＡＭ信号の振幅及び位相を表す（ａ）の初期推定値とを供給することを含み、
上記ステップｉｉ）は、上記同一チャネルＡＭ信号の先行する最新の推定値
【数１】
2008512057.tif 000001
、上記同一チャネルＡＭ信号の振幅及び位相を表す（ａ）の先行する最新の推定値、及び上記受信されるＲＦデータ（ｒ）に少なくとも部分的に基づいて上記同一チャネルＡＭ信号の改善された推定値
【数２】
2008512057.tif 000002
を供給することを含み、
上記ステップｉｉ）は、下記の関係式
【数３】
2008512057.tif 000003
を条件とする
【数４】
2008512057.tif 000004
、ここで、
【数５】
2008512057.tif 000005
に従って目的関数ｔｒ｛ＥＨＥ｝を最小化しかつ制約境界（δ）を満たす上記同一チャネルＡＭ信号の追加的推定値
【数６】
2008512057.tif 000006
を供給することを含む請求項３記載の方法。
【請求項５】
上記同一チャネルＡＭ信号は地理的な遠隔位置から送信され、上記方法は、上記地理的な遠隔位置から送信される同一チャネルＡＭ信号を含む上記ＲＦデータを受信することをさらに含み、上記分離することは、上記受信されるＲＦデータに基づいて上記同一チャネルＡＭ信号のそれぞれを推定することを含む請求項１記載の方法。
【請求項６】
上記同一チャネルＡＭ信号は、第１の送信機から送信される第１の同一チャネルＡＭ信号と、第２の送信機から同時に送信される第２の同一チャネルＡＭ信号とを含み、上記第１及び第２の送信機は地理的に互いに遠隔位置に位置合わせされ、上記方法はさらに、
受信機を供給することと、
上記受信機を地理的に上記第１の送信機と上記第２の送信機との間に位置合わせすることと、
上記受信機が地理的に上記第１の送信機と上記第２の送信機との間に位置合わせされる間に、上記第１の送信機から送信される上記第１の同一チャネルＡＭ信号と上記第２の送信機から同時に送信される上記第２の同一チャネルＡＭ信号とを受信することと、
上記受信される第２の同一チャネルＡＭ信号から上記受信される第１の同一チャネルＡＭ信号を分離することとを含む請求項１記載の方法。
【請求項７】
上記過負荷な信号環境は、上記同一チャネルＡＭ信号を意図的に、同じ周波数範囲で同時に放送することによって生成される請求項１記載の方法。
【請求項８】
上記同一チャネルＡＭ信号のうちの１つは公共サービス情報を含み、
上記方法はさらに、上記公共サービス情報を含む上記ＡＭ信号を上記受信されるＲＦデータの他の同一チャネルＡＭ信号から隔離することを含む請求項７記載の方法。
【請求項９】
上記方法はさらに、上記同一チャネルＡＭ信号のうちの所定の１つのＩＤを特定する命令に応答して、上記受信されるＲＦデータの他の同一チャネルＡＭ信号から上記同一チャネルＡＭ信号のうちの上記所定の１つを選択的に隔離することを含む請求項７記載の方法。
【請求項１０】
ＡＭ信号を送信するための方法において、過負荷な信号環境において動作する受信機によって受信されるために同じ周波数範囲で同時に送信するための同一チャネルＡＭ信号を含むＲＦデータを供給することを含み、
上記受信機は、上記ＲＦデータの他の同一チャネルＡＭ信号から上記同一チャネルＡＭ信号のそれぞれを分離するように構成される方法。
【請求項１１】
上記同一チャネルＡＭ信号を地理的な遠隔位置から送信することをさらに含む請求項１０記載の方法。
【請求項１２】
上記同一チャネルＡＭ信号のうちの１つは公共サービス情報を含み、
上記受信機はさらに、上記公共サービス情報を含む上記ＡＭ信号を上記受信されるＲＦデータの他の同一チャネルＡＭ信号から隔離するように構成される請求項１０記載の方法。
【請求項１３】
上記方法は、
同一チャネルＡＭ信号を含む上記送信されるＲＦデータを受信することと、
上記ＲＦデータの他の同一チャネルＡＭ信号から上記同一チャネルＡＭ信号のそれぞれを分離することとをさらに含む請求項１０記載の方法。
【請求項１４】
過負荷な信号環境を使用して通信するためのシステムであって、
同じ周波数範囲で同時に送信するための同一チャネルＡＭ信号を含むＲＦデータを供給するように構成される送信回路と、
上記ＲＦデータの他の同一チャネルＡＭ信号から上記同一チャネルＡＭ信号のそれぞれを受信して分離するように構成される受信及び分離回路とを備えるシステム。
【請求項１５】
上記送信回路は、上記同一チャネルＡＭ信号の送信のための上記ＲＦデータを地理的な遠隔位置から同じ周波数範囲で同時に供給するように構成される請求項１４記載のシステム。
【請求項１６】
上記同一チャネルＡＭ信号は第１及び第２の同一チャネルＡＭ信号を含み、上記送信回路は第１の同一チャネルＡＭ信号を送信するように構成される第１の送信機と、第２の同一チャネルＡＭ信号を同時に送信するように構成される第２の送信機とを備え、上記第１及び第２の送信機は地理的に互いから遠隔位置に位置合わせされ、上記受信及び分離回路は、上記第１の送信機によって送信される上記第１の同一チャネルＡＭ信号と上記第２の送信機によって同時に送信される上記第２の同一チャネルＡＭ信号とを受信するために地理的に上記第１の送信機と上記第２の送信機との間に位置合わせされる請求項１４記載のシステム。
【請求項１７】
ＡＭ信号を処理するための方法において、
ＲＦデータを受信することを含み、上記受信されるＲＦデータは同一チャネルＡＭ信号を含み、かつ、
ｉ）上記同一チャネルＡＭ信号の（Ｓ）の初期推定値及び上記同一チャネルＡＭ信号の振幅及び位相を表す（ａ）の初期推定値を供給し、
ｉｉ）上記同一チャネルＡＭ信号の先行する最新の推定値
【数７】
2008512057.tif 000007
、上記同一チャネルＡＭ信号の振幅及び位相を表す（ａ）の先行する最新の推定値及び上記受信されるＲＦデータ（ｒ）に少なくとも部分的に基づいて上記同一チャネルＡＭ信号の
【数８】
2008512057.tif 000008
の少なくとも１つの改善された追加の推定値を供給し、かつ、
ｉｉｉ）特定された終了基準が満たされるまでステップｉｉ）を反復すること、
によって、上記受信されるＲＦデータの他の同一チャネルＡＭ信号から上記同一チャネルＡＭ信号のそれぞれを分離することを含み、
上記ステップｉｉ）は、下記の関係式、
【数９】
2008512057.tif 000009
を条件とする
【数１０】
2008512057.tif 000010
、ここで、
【数１１】
2008512057.tif 000011
に従って目的関数ｔｒ｛ＥＨＥ｝を最小化しかつ制約境界（δ）を満たす上記同一チャネルＡＭ信号の追加的推定値
【数１２】
2008512057.tif 000012
を供給することを含む方法。
【請求項１８】
上記ステップｉｉ）は、さらに、
ａ）ラグランジュ関数
【数１３】
2008512057.tif 000013
を形成し、
ｂ）次に、ラグランジュ関数の勾配
【数１４】
2008512057.tif 000014
を計算し、
ｃ）次に、ラグランジュ関数の勾配の、Ｅに関する根を求め、
ｄ）目的関数ｔｒ｛ＥＨＥ｝を最小化するｆ（λ）の根を求め、ここで、
【数１５】
2008512057.tif 000015
であり、
ｅ）次に、下記の関係式
【数１６】
2008512057.tif 000016
を使用して投影（Ｅ）を計算し、
ｆ）次に、下記の関係式
【数１７】
2008512057.tif 000017
を使用して上記同一チャネルＡＭ信号の推定値
【数１８】
2008512057.tif 000018
を計算し、
ｇ）次に、
【数１９】
2008512057.tif 000019
が実数であるように制約することによって目的関数ｔｒ｛ＥＨＥ｝を最小化しかつ制約境界（δ）を満たすことを含む請求項１７記載の方法。
【請求項１９】
上記同一チャネルＡＭ信号は地理的な遠隔位置から送信され、上記方法はさらに、上記地理的な遠隔位置から送信される同一チャネルＡＭ信号を含む上記ＲＦデータを受信することを含む請求項１７記載の方法。
【請求項２０】
過負荷な信号環境において動作する少なくとも１つのセンサから、同じ周波数範囲で同時に受信される同一チャネルＡＭ信号を含むＲＦデータを受信するように接続される受信及び分離回路を備え、
上記受信及び分離回路は、上記受信されるＲＦデータの他の同一チャネルＡＭ信号から上記同一チャネルＡＭ信号のそれぞれを分離するように構成されるＡＭ信号の処理システム。
【請求項２１】
上記受信及び分離回路は、上記受信されるＲＦデータに基づいて上記同一チャネルＡＭ信号のそれぞれを推定することにより、上記他の同一チャネルＡＭ信号から上記同一チャネルＡＭ信号のそれぞれを分離するように構成される請求項２０記載のシステム。
【請求項２２】
上記受信及び分離回路は、さらに、少なくとも、
上記同一チャネルＡＭ信号のそれぞれの初期推定値を供給し、上記同一チャネルＡＭ信号のそれぞれの上記初期推定値及び上記受信されるＲＦデータに少なくとも部分的に基づいて、上記同一チャネルＡＭ信号のそれぞれの改善された第１の推定値を供給し、上記同一チャネルＡＭ信号のそれぞれの改善された上記第１の推定値及び上記受信されるＲＦデータに少なくとも部分的に基づいて、上記同一チャネルＡＭ信号のそれぞれの改善された第２の推定値を供給するように構成されるか、
ｉ）上記同一チャネルＡＭ信号のそれぞれの初期推定値を供給し、ｉｉ）上記同一チャネルＡＭ信号のそれぞれの先行する最新の推定値及び上記受信されるＲＦデータに少なくとも部分的に基づいて、上記同一チャネルＡＭ信号のそれぞれの改善された少なくとも１つの追加的推定値を供給するように構成される請求項２１記載のシステム。
【請求項２３】
上記少なくとも１つのセンサは単一のセンサであり、
上記受信及び分離回路は、さらに、
上記同一チャネルＡＭ信号の（Ｓ）の初期推定値と、上記同一チャネルＡＭ信号の振幅及び位相を表す（ａ）の初期推定値とを供給することにより上記ステップｉ）を実行し、
上記同一チャネルＡＭ信号の先行する最新の推定値
【数２０】
2008512057.tif 000020
、上記同一チャネルＡＭ信号の振幅及び位相を表す（ａ）の先行する最新の推定値、及び上記受信されるＲＦデータ（ｒ）に少なくとも部分的に基づいて、上記同一チャネルＡＭ信号の改善された推定値
【数２１】
2008512057.tif 000021
を供給することにより上記ステップｉｉ）を実行するように構成される請求項２２記載のシステム。
【請求項２４】
上記受信及び分離回路はさらに、下記の関係式
【数２２】
2008512057.tif 000022
を条件とする
【数２３】
2008512057.tif 000023
、ここで、
【数２４】
2008512057.tif 000024
に従って目的関数ｔｒ｛ＥＨＥ｝を最小化しかつ制約境界（δ）を満たす上記同一チャネルＡＭ信号の追加的推定値
【数２５】
2008512057.tif 000025
を供給することにより上記ステップｉｉ）を実行するように構成される請求項２３記載のシステム。
【請求項２５】
上記受信及び分離回路は、地理的な遠隔位置から送信される同一チャネルＡＭ信号を含むＲＦデータを受信するように接続され、上記受信及び分離回路は、地理的な遠隔位置から送信される他の同一チャネルＡＭ信号から上記同一チャネルＡＭ信号のそれぞれを分離するように構成され、上記受信及び分離回路は、上記受信されるＲＦデータに基づいて上記同一チャネルＡＭ信号のそれぞれを推定することによって、他の同一チャネルＡＭ信号から上記同一チャネルＡＭ信号のそれぞれを分離するように構成される請求項２０記載のシステム。
【請求項２６】
上記同一チャネルＡＭ信号のうちの１つは公共サービス情報を含み、
上記受信及び分離回路はさらに、上記公共サービス情報を含む上記ＡＭ信号を上記受信されるＲＦデータの他の同一チャネルＡＭ信号から隔離するように構成される請求項２０記載のシステム。
【請求項２７】
上記受信及び分離回路はさらに、上記同一チャネルＡＭ信号のうちの所定の１つのＩＤを特定する命令に応答して、上記受信されるＲＦデータの他の同一チャネルＡＭ信号から上記同一チャネルＡＭ信号のうちの上記所定の１つを選択的に隔離するように構成される請求項２０記載のシステム。
【請求項２８】
ＡＭ信号の処理システムにおいて、
過負荷な信号環境において動作する単一のセンサから、同一チャネルＡＭ信号を含むＲＦデータを受信するように接続される受信及び分離回路を備え、
上記受信及び分離回路は、
ｉ）上記同一チャネルＡＭ信号の（Ｓ）の初期推定値及び上記同一チャネルＡＭ信号の振幅及び位相を表す（ａ）の初期推定値を供給し、
ｉｉ）上記同一チャネルＡＭ信号の先行する最新の推定値
【数２６】
2008512057.tif 000026
、上記同一チャネルＡＭ信号の振幅及び位相を表す先行する（ａ）の最新の推定値及び上記受信されるＲＦデータ（ｒ）に少なくとも部分的に基づいて上記同一チャネルＡＭ信号の
【数２７】
2008512057.tif 000027
の少なくとも１つの改善された追加の推定値を供給し、かつ、
ｉｉｉ）特定された終了基準が満たされるまでステップｉｉ）を反復すること、
によって、上記受信されるＲＦデータの他の同一チャネルＡＭ信号から上記同一チャネルＡＭ信号のそれぞれを分離するように構成され、
上記受信及び分離回路はさらに、下記の関係式
【数２８】
2008512057.tif 000028
を条件とする
【数２９】
2008512057.tif 000029
、ここで、
【数３０】
2008512057.tif 000030
に従って目的関数ｔｒ｛ＥＨＥ｝を最小化しかつ制約境界（δ）を満たす上記同一チャネルＡＭ信号の追加的推定値
【数３１】
2008512057.tif 000031
を供給すること、によって上記ステップｉｉ）を実行するように構成されるシステム。
【請求項２９】
上記受信及び分離回路はさらに、
ａ）ラグランジュ関数
【数３２】
2008512057.tif 000032
を形成し、
ｂ）次に、ラグランジュ関数の勾配
【数３３】
2008512057.tif 000033
を計算し、
ｃ）次に、ラグランジュ関数の勾配の、Ｅに関する根を求め、
ｄ）目的関数ｔｒ｛ＥＨＥ｝を最小化するｆ（λ）の根を求め、ここで、
【数３４】
2008512057.tif 000034
であり、
ｅ）次に、下記の関係式
【数３５】
2008512057.tif 000035
を使用して投影（Ｅ）を計算し、
ｆ）次に、下記の関係式
【数３６】
2008512057.tif 000036
を使用して上記同一チャネルＡＭ信号の推定値
【数３７】
2008512057.tif 000037
を計算し、
ｇ）次に、
【数３８】
2008512057.tif 000038
が実数であるように制約することにより目的関数ｔｒ｛ＥＨＥ｝を最小化しかつ制約境界（δ）を満たすこと、によって上記ステップｉｉ）を実行するように構成される請求項２８記載のシステム。
【請求項３０】
上記受信及び分離回路は地理的な遠隔位置から送信される同一チャネルＡＭ信号を含むＲＦデータを受信するように接続され、上記受信及び分離回路は、地理的な遠隔位置から送信される他の同一チャネルＡＭ信号から上記同一チャネルＡＭ信号のそれぞれを分離するように構成される請求項２８記載のシステム。